(57)【特許請求の範囲】
【請求項１】
容器本体（１）と、貫通孔（２）を有する仕切板（３）、止栓内壁（１２）を有する止栓（５）、漏水溜（８）の３つを接合した構成部材とからなる製氷容器で、仕切板（３）を接合した止栓（５）と漏水溜（８）は止栓縁部（９）で折りたためるように一体的に成型し接合して構成し、凹字状にした容器本体（１）に適量の水を入れ、仕切板（３）を接合した止栓（５）に漏水溜（８）を折りたたみ、これらを容器本体（１）に嵌合させて水を密封し、貫通孔（２）を有する仕切板（３）を介して透明氷部室（６）及び白氷部室（７）を形成し、透明氷部室（６）で透明氷を製し、白氷を白氷部室（７）に集める、容器本体（１）をうつぶせ状態で用いる製氷容器。
【請求項２】
容器本体縁部（１０）を中心点に、容器本体（１）の一辺の長さを半径として対角の一辺を円弧を描く形に欠落させた容器本体（１）、貫通孔（２）を有する仕切板（３）、漏水孔（４）を有する止栓（５）及び漏水溜（８）の構成部材からなる製氷容器で、これら構成部材を容器本体縁部（１０）で一体的に成型し接合して構成される製氷容器で、凹字状にした容器本体（１）に適量の水を入れ、仕切板（３）を接合した止栓（５）、漏水溜（８）を折りたたむ形で、容器本体（１）に嵌合させて水を密封し、貫通孔（２）を有する仕切板（３）を介して透明氷部室（６）及び白氷部室（７）を形成し、透明氷部室（６）で透明氷を製し、白氷を白氷部室（７）に集める、容器本体（１）をうつぶせ状態で用いる製氷容器。
【発明の詳細な説明】
【０００１】
【産業上の利用分野】
本発明は、家庭用の冷蔵庫のフリーザー室内で、「かちわり氷」用の大型の、硬度ある、透明な氷塊を製する製氷容器に関するものである。
【０００２】
【従来の技術】
冷蔵庫には、付属品として角氷用の製氷皿が付けられているかあるいは自動製氷機が設置されている。いずれも角氷を作るもので、未だ、冷蔵庫のフリーザー室内で、アイスピックで割って「かち割り氷」とする大型の透明な氷塊を製する製氷容器はない。
【０００３】
【発明が解決しようとする課題】
冷蔵庫で作られる角氷は、画一的で、氷中に空気を含む白氷となり、また、カルキ、ミネラル等の不純物を氷中に閉じ込めることになり、オン・ザ・ロック等にして用いたとき、氷が溶けやすく、早く飲み物の味を薄めることとなる。本発明は、冷蔵庫のフリーザー室内で、アイスピックで割って使う「かち割り氷」となる大型の、硬度ある、透明な氷塊を製する製氷容器を提供することを目的とするものである。冷蔵庫のフリーザー室内での大型の氷塊を製するには、次の２つの問題点が生じる。第１点は、透明氷部分が少く、白氷を含んだ大型の氷塊となる。また、第２点は、大容量の水が凍るとき、約１割体積が膨張することとなり、この現象は氷結の最終時点で、特に大きな体積膨張現象が起こり、製氷皿底部の破裂あるいは変形をもたらすこととなる。
【０００４】
【課題を解決するための手段】
第１の問題点の解決のためには、白氷の原因となる水中の空気の除去は通常の手段では除くことはできない。冬季、屋外に放置した容器の水の氷結が水面より始まり、下部に未氷結の水が存在している間は、水中に溶存する空気は、先に凍った氷中に包み込まれることなく、透明氷の下部に存在する水中に保持され、上部に透明な氷ができる現象が観察される。この原理に基づき、本発明の製氷容器は、容器本体内での水の氷結の遅速で、透明氷部分と水中に空気を含んで氷結する白氷部分を貫通孔を有する仕切板の設置で分別して、透明氷を得る方法で解決するものである。
【０００５】
また、第２の問題点の氷結時の体積膨張の解決には、箱形の容器に水を入れ、これに止栓を嵌合させ、容器内の水を密封し、うつぶせ状態にして水平に保ち、フリーザー室に放置した際に、製氷容器の構成部材の一つである漏水溜がずり下がるとか止栓に設けた漏水孔から雫状になって未だ氷結しない水が漏水することで吸収し、漏れ出た水を漏水溜に受けることとした。
【０００６】
本発明の製氷容器は、フリーザー室に据え置く形の製氷容器で、以下に、本発明の製氷容器の構成、各構成部材の構造、製氷容器の使用法、作用及び製氷容器の実施例を記載する。
【０００７】
〈容器本体と仕切板及び漏水溜付き止栓を嵌合させるタイプの製氷容器例〉
容器本体と仕切板と漏水溜と止栓をそれぞれ接続して形成するタイプの製氷容器（以下、容器本体・止栓内壁閉塞形止栓嵌合型の製氷容器とする。）を図１に示す。図１（ａ）は、直方体形の容器本体１例、また、（ｂ）及び（ｃ）は、貫通孔２を有する仕切板３を止栓内壁１２を有する止栓５と一体的に成型して接続し、更に、これに板状の漏水溜８を止栓縁部９で折りたためるように一体的に成型して接続した仕切板３と漏水溜８の付いた止栓５例で、うつぶせ状態及び仰向け状態での斜視図である。なお、この図での仕切板３の形状は、四角錐のものを図示した。（ｄ）は、仕切板３と漏水溜８の付いた止栓５を止栓内壁１２に折りたたんで嵌合させて構成したものを容器本体１に嵌合させて構成した製氷容器の使用状態での断面図で、仕切板３を介して透明氷部室６及び白氷部室７を構成し、透明氷部室６で透明氷を製し、白氷を白氷部室７に集めようとするものである。
【０００８】
図１に示す容器本体・止栓内壁閉塞形止栓嵌合型の製氷容器の使用法を説明すると、箱形の容器本体１を凹字状に上向けにして、容器本体１内を水で満たした後、貫通孔２を有する仕切板３付きの止栓５と漏水溜８を折りたたんで、容器本体１の上部から被せ挿入して嵌合させ、容器本体１内の水を密封し、止栓５が下になるように、引っ繰り返して透明氷部室６と白氷部室７から構成される２層構造とし、フリーザー室に据え置き氷結させる。なお、氷結の進行で生起する体積膨張は、止栓内壁１２と漏水溜８の接触面から、未だ氷結しない水が止栓内壁１２と漏水溜８で構成される空間に漏れ出たり、氷結の最終段階では板状の漏水溜８が押し下げられて減ずることとなる。
【０００９】
〈容器本体と止栓を上下に開閉するタイプの製氷容器例〉
容器本体と止栓を上下に開閉するタイプの製氷容器（以下、容器本体・止栓開閉型の製氷容器とする。）を図２に示す。図２（ａ）は、この製氷容器の開放した状態での断面図、（ｂ）は、この製氷容器の使用状態での断面図である。このタイプの製氷容器は、容器本体１と貫通孔２を有する仕切板３を漏水孔４を有する止栓５に一体成型するかあるいは使用の都度嵌合させた漏水孔４を有する止栓５と漏水溜８をそれぞれ一体的に成型し、これを、容器本体１を凹字状に上向けて、容器本体１内に水を満たした後、上から折りたたんで閉じる形で容器本体１内の水を密封し、透明氷部室６及び白氷部室７から構成される２層構造とする。この製氷容器は、容器本体１と仕切板３を接続あるいは使用の都度嵌合させた漏水孔４を有する止栓５と漏水溜８とを止栓縁部９と容器本体縁部１０の位置で、折り曲げできるように一体的に成型して接続して製氷容器全体が一つに接続されていることを特徴とする。更に、この容器本体・止栓開閉の製氷容器は、図２に示すように、完全な一体成型が製氷容器構成部材の強度等から考え分割する方がよい場合、図１１（ｃ）、（ｄ）に示すように、容器本体１、貫通孔２を有する仕切板３、漏水孔４を有する止栓５及び漏水溜８の製氷容器構成部材をそれぞれ任意に組み合わせて一体的に成型して接続してそれぞれ組み合わせて製氷容器を構成することもできる。
【００１０】
なお、容器本体・止栓開閉型の製氷容器で、容器本体１が箱形の容器の場合、容器本体１を上に開いて氷結した氷を取り出すときに、氷結した透明氷が容器本体１の開放の邪魔になるので、容器本体縁部１０を中心点に、容器本体１の長さを半径として、対角の一辺を円弧を描く形に欠落させた容器本体１を用いる。また、この製氷容器に用いる貫通孔２を有する仕切板３は、図４で後述する逆凹形の形状の「うつぶせ形仕切板」では、使用の都度に止栓５と嵌合させるかあるいは仕切板３の仕切板縁部１１の一辺を止栓５に折り曲げできるように接続させ、また、両側が開放された、図５で後述する「トンネル形仕切板」では、使用の都度嵌合させるかあるいは止栓５と一体成型する形で用いる。
【００１１】
図２に示した容器本体・止栓開閉型の製氷容器例の使用法を説明すると、容器本体１を凹字状に上向けにして、適量の水を満たした後、一体的に成型した貫通孔２を有する仕切板３付きの止栓５及び漏水溜８を折りたたみ、上部から容器本体１に嵌合させ、容器本体１内の水を密封する。次に、止栓５が下になるように引っ繰り返して透明氷部室６と白氷部室７から構成される２層構造とし、フリーザー室に据え置き凍結させる。
【００１２】
この発明の容器本体・止栓内壁閉塞形止栓嵌合型及び容器本体・止栓開閉型の製氷容器の水の氷結の過程は、透明氷部室６の水がフリーザー室の冷気によって、容器本体１の周囲から氷結が始まり、容器本体１内の透明氷部室６の水は仕切板３の貫通孔２を通じて上下に移動しながら、逆Ｕ字状に透明氷として氷結が進み、中心部の水の氷結が遅れ、空気を多く含む水は仕切板３の貫通孔２を通り、白氷部室７に移動し、白氷となって氷結が終了する。氷結過程での水が氷になるときの体積膨張は止栓５あるいは止栓内壁１２に設けた、それぞれの漏水孔４から、未だ氷結しない水が雫状で漏水溜８などに滴下し続けたり、漏れ続けることで吸収し、漏れ出た水は漏水溜８で氷結する。なお、止栓内壁閉塞形止栓嵌合型の製氷容器の場合は、漏水溜８がずれ下がることで体積膨張を吸収する。
【００１３】
〈容器本体例〉
この発明の各製氷容器の基本例は、上述のとおりであるが、容器本体１の形状の代表例をうつぶせ状態で示す。図３（ａ）は、直方体形の容器本体１で、（ｂ）は、容器本体縁部１０に段差を設け、わずかに広げた形とした容器本体１で、止栓５が容器本体１内に挿入されて嵌合でき、また、（ｃ）は、容器本体・止栓開閉型の製氷容器に用いる容器本体１例で、容器本体縁部１０を中心点として、容器本体１の長さを半径として、対角の一辺を円弧を描く形で欠けさせたように成形した容器本体１である。
【００１４】
〈仕切板の形状例〉
本発明の製氷容器を構成する貫通孔２を有する仕切板３の形状は、仕切板３と止栓５あるいは漏水溜８から構成される白氷部室７に氷結した白氷を、仕切板３の下方向に取り出す場合、図４に示すように、茶碗を伏せたような形状の「うつぶせ形仕切板」となる。また、白氷部室７に氷結した白氷を横方向に取り出す場合には、図５に示すように切妻屋根形の両サイドが開放された形状の「トンネル形仕切板」となる。以下、図４及び図５に、「うつぶせ形仕切板」及び「トンネル形仕切板」の形状を示すが、仕切板３の貫通孔２はすべて円形の貫通孔２例で示した。「うつぶせ形仕切板」の代表例は、主なものとして四角錐形、三角錐形、多角錐形、円錐形、半円球形、円柱形、角柱形、円錐台形、寄せ棟屋根形、多角錐台形、星形の錐形、直方体形など中央部付近が高くなった、あらゆる立体形に成型する。
【００１５】
また、「トンネル形仕切板」の代表例は、切妻屋根形、寄せ棟形、円筒形、半円体形（カマボコ形）、少しでも透明氷部分を多くするため、丸屋根部分の稜線の長さを底辺部より短くした形、腰折れ屋根形、四角錐台形、角柱形などの両サイドが開放された形とし、白氷を包み込むのに充分な容積の白氷部室７が構成できるように形成し、止栓５に仕切板縁部１１で、前記と同様に接続あるいは嵌合させて用いる。
【００１６】
〈容器本体・止栓内壁閉塞形止栓嵌合型の製氷容器の止栓例〉
図６は、容器本体・止栓内壁閉塞形止栓嵌合型の製氷容器に用いる仕切板３と漏水溜８の付いた止栓内壁１２を持つ止栓５例の斜視図である。図６（ａ）は、図１（ｂ）及び（ｃ）と同じ形式もので、貫通孔２を有する半円球形の仕切板３から構成される、仕切板３と漏水溜８の付いた止栓５例で、止栓内壁１２に漏水孔４を設けたものである。この漏水孔４は、容器本体１に仕切板３と漏水溜８付きの止栓内壁１２をもつ止栓５を嵌合させて、容器本体１内の水を封じ込めるときの空気の抜け孔と氷結時の水の漏れ出る孔としての効果を示すこととなる。また、（ｂ）は、止栓５の止栓内壁１２を斜めにカットして、氷結時の体積膨張を漏水溜８がずり下がって吸収するときでも、後述の図１０（ｂ）に示すように、氷結時の体積膨張があっても、板状の漏水溜８が止栓５の止栓周囲部１３の幅からはみ出すことのない、仕切板３と漏水溜８の付いた止栓内壁１２をもつ止栓５例の斜視図である。
【００１７】
図７（ａ）は、図６と同じで、止栓内壁１２に漏水孔４を有する止栓５で、氷結時の体積膨張を漏水溜８がずり下がって吸収する仕切板３と漏水溜８の付いた止栓内壁１２を持つ止栓５例の基本形である。また、（ｂ）は、止栓内壁１２に漏水のための切れ目を入れ、漏水溜８を折りたたんで嵌合させたときに、この切れ目の間隙部と漏水溜８の接触面の嵌合部であたかも漏水孔４が形成されるようにしたものである。また、（ｃ）は、止栓内壁１２に図６及び図７に示したような孔状あるいは切れ目状の漏水孔４を設けることなしに、漏水溜８と止栓内壁１２が接する漏水溜８の上面に窪み部を設け、漏水溜８を止栓内壁１２に嵌合させるために折りたたんだとき、止栓内壁１２と漏水溜８の窪み部の接触面であたかも漏水孔４が形成されるようにした漏水溜８付きの止栓内壁１２をもつ止栓５例の斜視図である。なお、漏水溜８の凹字状の窪み部は、（ｃ）では円形の窪みを示した。また、（ｄ）は、止栓５の止栓内壁１２と嵌合させる漏水溜８の凸字状の出っ張りの部分部分をカットし、（ｃ）と同様に漏水孔４が形成され、漏水孔４により、白氷部室７が止栓内壁１２と止栓周囲部１３で構成される空間に連通するものである。なお、この連通を完全なものとするために漏水溜８のカット部分に（ｃ）に示したように凹字状の窪み部を設けることで、白氷部室７が止栓内壁１２と止栓周囲部１３とで構成される空間に完全に連通することとなる。また、（ｅ）及び（ｆ）は、漏水溜８の上面に間隙を有する凸字状の出っ張りを設けたものである。また、図７に示した、止栓内壁１２の間隙部あるいは漏水溜８の窪み部あるいは出っ張り部の接触面で構成される漏水孔４の形成方法は、図６（ｂ）に示した止栓内壁１２を斜めにカットした止栓内壁１２と漏水溜８との接触面でも同様に構成することができる。
【００１８】
〈容器本体・止栓開閉型の製氷容器の止栓例〉
図８は、容器本体・止栓開閉型の製氷容器に用いる代表的な止栓５例の斜視図及び断面図である。この容器本体・止栓開閉型の製氷容器を構成するには、貫通孔２を有する仕切板３及び漏水溜８を接続した止栓５が必要である。図８（ａ）の止栓５例では、止栓周囲部１３が厚みを持つ止栓５例で、容器本体１内に食い込む形で嵌合できるように構造になっている。この止栓５では、容器本体１内の水が氷結した後、」内部の氷を取り出すために、仕切板３付きの止栓５を外したときに、止栓周囲部１３の厚みだけ、できた透明氷と容器本体縁部１０の間に隙間ができ、容器本体縁部１０に指をかけて押し広げることができることから、容器本体１内の氷が剥がれやすくなる特長を有する。（ｂ）は、図２の製氷容器例に示したように、容器本体１と漏水溜８の間に挟んで用いる板状の止栓５例である。また、（ｃ）は、止栓５と漏水溜８の機能を備えた、四角の筒形の二方が開放された中空形の止栓５例である。これらの止栓５は、図２及び後述の図１１から図１３に示すように、この発明の製氷容器を構成する他の部材の容器本体１、仕切板３及び漏水溜８とそれぞれ組み合わせて製氷容器とすることができる。
【００１９】
〈容器本体・止栓内壁閉塞形止栓嵌合型及び容器本体・止栓開閉型製氷容器の漏水溜例〉
「容器本体・止栓内壁閉塞形止栓嵌合型の製氷容器の漏水溜８は、図６及び図７に示したように、図９（ｂ）及び（ｅ）に示すような板状の漏水溜８である。また、容器本体・止栓開閉型の製氷容器に用いる漏水溜８の基本例を図９の斜視図に示す。これらの漏水溜８を止栓５に嵌合させる場合には、（ａ）は、止栓５の止栓縁部９の内側あるいは外側に嵌合させる凹字状の箱形の漏水溜８、また、（ｂ）は、止栓縁部９の内側に嵌合できるように、平らな板を凸字状に膨らませた漏水溜８、また、（ｃ）及び（ｄ）は、止栓縁部９の内側に嵌合できるように、平らな板に枠を設けた漏水溜８である。これらの漏水溜８は、図１、図２、図６、図７及び後述する図１０から図１３に示すように、これらの発明の製氷容器を構成する他の部材の容器本体１、仕切板３及び止栓５とそれぞれの構成から組み合わせて一体的に接続して製氷容器を構成することができる。
【００２０】
【作用】
本発明の製氷容器は、冷蔵庫のフリーザー室で、アイスピックで割って「かち割り氷」とする大型の、硬度ある、透明な氷塊を製する製氷容器を提供することを目的とするもので、上述したように構成されており、各構成部材ごと及び各製氷容器について、その作用を記載すると下記のとおりである。
【００２１】
本発明の容器本体・止栓内壁閉塞形止栓嵌合型の製氷容器では、製氷容器を構成する容器本体１を、凹字状にして適量の水を充満させた後、貫通孔２を有する仕切板３を接続した止栓内壁１２を有する止栓５と漏水溜８を一体成型した製氷容器構成部材を止栓縁部９のところで折りたたんで、容器本体１に挿入して水を密封し、止栓５が下になるように引っ繰り返して、容器本体１をうつぶせ状態で使用するものである。また、容器本体・止栓開閉型製氷容器も、貫通孔２を有する仕切板３を嵌合または接続した止栓５で容器本体１の水を密封し、漏水溜８を折りたたんで製氷容器を構成し、フリーザー室で凍らせる。これまでの上部が開放され、フリーザー室の冷風が直接凍らそうとする水に当たり急速に氷結が進み、水中に溶存する空気を包み込み、白氷となる従来の製氷皿にくらべ、容器本体１の壁を介した緩和な条件で冷却されることから、徐々に氷結が進行し、透明氷部室６で透明氷を得ることができる。
【００２２】
また、本発明の製氷容器の容器本体１の使用法の一番の特徴は、容器本体・止栓内壁閉塞形止栓嵌合型及び容器本体・止栓開閉型の製氷容器とも、容器本体１内の水を、貫通孔２を有する仕切板３を接続した止栓内壁１２を有する止栓５と漏水溜８を折りたためるように接続させた製氷容器構成部材を嵌合させて密封したり、止栓５で密封する形で使用することである。これらのタイプの製氷容器は、容器本体１をうつぶせ状態にすることで、容器本体縁部１０が止栓５の止栓周囲部１３と接するような構造になっているため、両構成部材の嵌合部で水の膜ができ、容器本体１内の水は漏れることなく、また、氷結時に起こる体積膨張を減ずるために設けた止栓５の上面あるいは止栓内壁１２に漏水孔４があっても、この漏水孔４から水が漏れることもない。また、この漏水孔４は、密封下水が氷結するときの体積膨張時の圧力で未氷結の水が漏れ出る働きを示し、氷結時の体積膨張を減ずる作用を持つこととなる。
【００２３】
また、容器本体・止栓内壁閉塞形止栓嵌合型の製氷容器は、容器本体・止栓開閉型の製氷容器と比べても、容器本体１の容積のうち白氷部室７の占める容積比率が高くなり、白氷部室７で氷結する白氷を包み込みやすく、透明氷部室６へ白氷が入り込み難いという特長を有する製氷容器である。
【００２４】
また、容器本体・止栓開閉型の製氷容器の特徴は、氷結した透明氷部室６の氷を取り出すために、水をかけるなどして、容器本体１内に氷結した氷を容器本体１の内壁から剥離させた後、容器本体１を上方向に持ち上げて開き、あらわになった氷をアイスピックで破砕して取り出す新規な製氷容器形態である。
【００２５】
また、本発明の各製氷容器に用いられる貫通孔２を有する仕切板３は、容器本体１内を透明氷部室６と白氷部室７に分けて構成するために必要な構成部材となる。また、仕切板３は、氷結した透明氷部分をアイスピックで破砕して取り出すとき、透明氷部分と白氷部分とを分別するための隔壁の機能を有するので、透明氷のみの破砕が容易にできる作用を持つ。また、この仕切板３は、上述したようにほとんどの形式が、中央部付近を高くし、周辺部を低くしてあるので、遅れて氷結する白氷部室７の白氷を包み込む形になり、また、透明氷部室６で多くの透明氷が得られる効果を持つこととなる。
【００２６】
また、仕切板３の形状例として、「うつぶせ形仕切板」と「トンネル形仕切板」があるが、「うつぶせ形仕切板」では、止栓５に使用の都度嵌合させるかあるいは仕切板縁部１１の一辺を止栓５に折りたためるように一体成型するようにする。一方、「トンネル形仕切板」の最大の特長は、白氷を横に取り出すことが可能で、止栓５と接続させて一体的に成型することができ、製氷容器の部品点数を減らすことができる点である。また、いずれの仕切板３も止栓５と使用の都度嵌合させる方式、仕切板３の仕切板縁部１１の一辺を止栓と折り曲げできるような形で接続する方式あるいは仕切板３の両端を止栓５と一体的に成型する方式など自由に選択できる特長を有する。
【００２７】
また、仕切板３の貫通孔２は、どんな形状の貫通孔２であっても、透明氷部室６と白氷部室７の氷結過程における水の上下の移動経路となり、透明氷部室６での透明氷の生成を促進する作用がある。
【００２８】
また、容器本体・止栓開閉型の製氷容器に用いられる漏水孔４を有する止栓５は、容器本体１と嵌合して、容器本体１内の水を密封する働きを有する。また、容器本体・止栓内壁閉塞形止栓嵌合型の製氷容器の場合、止栓５に止栓内壁１２があり、大きな穴が開いているので止栓内壁１２を漏水溜８で嵌合して閉塞した後、容器本体１と嵌合し、容器本体１内の水を密封することとなる。
【００２９】
また、止栓５は、仕切板３と接続あるいは嵌合させて、透明氷部室６及び白氷部室７を構成し、透明氷部室６で透明氷が得られ、白氷部室７に遅れて氷結する白氷を集める作用がある。また、止栓５の止栓縁部９は、氷結時の体積膨張で漏れ出る未氷結の水を受ける漏水溜８との嵌合部の役目を果たすこととなる。
【００３０】
また、本発明のいずれの製氷容器とも、止栓５に設けられた漏水孔４、また、止栓内壁１２に設けられた漏水孔４は、それぞれ容器本体１内の水が氷になるときの体積膨張で、漏れ出る未氷結の水の通路となる作用を有する。また、漏水孔４は、止栓５の上面あるいは止栓内壁１２のそれぞれに、１個又は複数個設けることができ、複数個設けた場合は、漏水孔４の氷結を防止する作用が増すこととなる。また、容器本体・止栓内壁閉塞形止栓嵌合型の製氷容器も、氷結の初期の段階では、止栓内壁１２の漏水孔４から未氷結の水が、止栓５の止栓内壁１２と止栓周囲部１３と漏水溜８で形成される空間に漏れ出るが、氷結の最終段階では、止栓内壁１２に嵌合した漏水溜８自体がずり下がり、氷結時の体積膨張を吸収する作用を有する。
【００３１】
〈容器本体・止栓内壁閉塞形止栓嵌合型の製氷容器の実施例〉
容器本体・止栓内壁閉塞形止栓嵌合型の製氷容器例は、第１図に各パーツ例の斜視図及び製氷容器の使用状態での断面図を示した。図１０（ａ）の実施例で示す断面図は、図１（ｄ）の四角錐の仕切板３の代わりに半円球形の仕切板３を凸字状になるように止栓５の止栓内壁１２に一体的に成型し、更に、止栓縁部９に漏水溜８を一体的に成型して接続して構成する製氷容器である。また、（ｂ）は、図６（ｂ）の止栓内壁１２を斜めにカットした仕切板３と漏水溜８付きの止栓５で構成した製氷容器である。また、（ｃ）は、（ａ）と同じように半円球形の仕切板３を凸字状になるように止栓５の止栓内壁１２に一体的に接続し、止栓内壁１２を図６（ｂ）と同様に斜めにカットしたものである。また、（ｄ）は、止栓内壁１２に板状の漏水溜８を折り曲げできるように一体的に成型して接続した止栓５と容器本体１から構成される製氷容器である。
【００３２】
〈容器本体・止栓開閉型の製氷容器の実施例〉
容器本体・止栓開閉型の製氷容器の基本形は図２に示した。図１１（ａ）及び（ｂ）は、図３（ｃ）の容器本体１例に示した、容器本体１の容器本体縁部１０を中心点に、容器本体１の長さを半径とし、対角の一辺を円弧を描く形で欠落させた容器本体１を用い、その容器本体縁部１０に段差を設け、図８（ｃ）の中空形の止栓５に「トンネル形仕切板」を一体的に成型して接続して構成した製氷容器の斜視図及び断面図である。また、（ｃ）は、図９（ｄ）の箱形の漏水溜８と容器本体１を折り曲げできるように一体的に成型して接続して、これに仕切板３を接続あるいは嵌合させた板状の止栓５を挟み込んで製氷容器を構成するものである。また、（ｄ）は、容器本体１と止栓５を一体成型したものに、漏水溜８を下から嵌合させて製氷容器を構成するものである。
【００３３】
また、容器本体・止栓開閉型の製氷容器で、貫通孔２を有する仕切板３、漏水孔４を有する止栓５及び漏水溜８をそれぞれ組み合わせて一体的に成型して接続させた場合の実施例の斜視図を図１２に示す。（ａ）は、容器本体１に漏水溜８、板状の止栓５及び仕切板３を直列状に接続させたものである。また、（ｂ）及び（ｃ）は、（ａ）と同じ構造のものをうつぶせ状に図示したもので、（ｂ）は、（ａ）と異なり、仕切板３を止栓５の上面に設けたもので、また、（ｃ）は、仕切板３として「トンネル形仕切板」ではなくて「うつぶせ形仕切板」を用いて形成した例である。また、（ｄ）は、容器本体１の両サイドに漏水溜８と仕切板３付きの止栓５を接続させたものである。また、（ｅ）は、容器本体１の容器本体縁部１０の隣り合わせの位置に漏水溜８と仕切板３付きの止栓５を接続させたものである。（ｆ）は、容器本体１に接続した止栓５に仕切板３と漏水溜８を接続したものである。
【００３４】
また、図１３は、容器本体１に仕切板３を接続させた基本構造のものに、それぞれ止栓５及び漏水溜８を組み合わせて一体的に接続させて構成した製氷容器例で、それぞれ折り曲げできるように一体的に成型して接続した製氷容器の実施例である。
【図面の簡単な説明】
【図１】容器本体と止栓内壁を漏水溜で閉塞する止栓を嵌合させる製氷容器例の斜視及び断面図
【図２】容器本体と止栓を開閉して嵌合させる製氷容器例の断面図
【図３】容器本体例の斜視図
【図４】うつぶせ形の仕切板の形状例の斜視図
【図５】トンネル形の仕切板の形状例の斜視図
【図６】仕切板と漏水溜付きの止栓例の斜視図−その１
【図７】仕切板と漏水溜付きの止栓例の斜視図−その２
【図８】止栓例の斜視図及び断面図
【図９】漏水溜の形状例の斜視図
【図１０】容器本体と止栓内壁を漏水溜で閉塞する止栓を嵌合させる製氷容器例の実施例の断面図
【図１１】容器本体と止栓を開閉して嵌合させる製氷容器の実施例の斜視図と断面図
【図１２】容器本体と止栓等を開閉して嵌合させる製氷容器の一体成型例の斜視図−その１
【図１３】容器本体と止栓等を開閉して嵌合させる製氷容器の一体成型例の斜視図−その２
【符号の説明】
１    容器本体
２    貫通孔
３    仕切板
４    漏水孔
５    止栓
６    透明氷部室
７    白氷部室
８    漏水溜
９    止栓縁部
１０  容器本体縁部
１１  仕切板縁部
１２  止栓内壁
１３  止栓周囲部
【図１】
0004626781.tif 000002
【図２】
0004626781.tif 000003
【図３】
0004626781.tif 000004
【図４】
0004626781.tif 000005
【図５】
0004626781.tif 000006
【図６】
0004626781.tif 000007
【図７】
0004626781.tif 000008
【図８】
0004626781.tif 000009
【図９】
0004626781.tif 000010
【図１０】
0004626781.tif 000011
【図１１】
0004626781.tif 000012
【図１２】
0004626781.tif 000013
【図１３】
0004626781.tif 000014